(57)【特許請求の範囲】
【請求項１】
複数のカード・メーカが製造した複数のカードを受領して、それらのカードを前記カード・メーカ毎に管理するカード授受管理部と、
前記カード授受管理部が受領したカードの入庫及び出庫状況を、少なくともカード・メーカ識別コードを付して登録するカード在庫管理データベースと、
発行依頼側からのエンコード・データを含む発行依頼内容を受領して管理する発行依頼受領管理部と、
前記発行依頼受領管理部からの発行依頼内容を格納する発行依頼管理テーブル及び発行処理したカードの発行履歴データを格納する発行履歴管理テーブルを有する発行処理管理データベースと、
前記発行依頼管理データベースに格納された発行依頼内容に基づいて、発行処理作業内容を作成する作業指示部と、
前記作業指示部からの発行処理作業内容を登録して発行処理データを作成し、前記カード授受管理部から使用するカードを受領して、前記発行処理データに基づいてカード発行処理を行い、そのカード発行処理の結果に従って、少なくともカード・メーカ識別コードを含む発行履歴データを作成する発行処理部と、
前記発行処理部で発行処理したカード及び前記発行履歴データを前記発行依頼側へ出荷する出荷部と、
を備えたカード発行管理システム。
【請求項２】
請求項１に記載のカード発行管理システムにおいて、
前記発行履歴データを格納して、その発行履歴データを出力する発行履歴データ出力部を備えたこと、
を特徴とするカード発行管理システム。
【請求項３】
請求項１に記載のカード発行管理システムにおいて、
前記発行履歴データは、エンコード・メーカ識別コードを含むこと、
を特徴とするカード発行管理システム。
【請求項４】
請求項１に記載のカード発行管理システムにおいて、
前記発行処理管理データベースは、前記カード・メーカ識別コードを識別するフィールドを備えること、
を特徴とするカード発行管理システム。
【請求項５】
請求項１から請求項４までのいずれか１項に記載のカード発行管理システムにおいて、
前記カード授受管理部、前記カード在庫管理データベース、前記発行依頼受領管理部、前記発行処理管理データベース、前記作業指示部、前記発行処理部及び前記出荷部の各処理過程で授受されるキーデータの中に、少なくとも前記カード・メーカ識別コードが含まれること、
を特徴とするカード発行管理システム。
【発明の詳細な説明】
【０００１】
本発明は、ＩＣカード等のカードを発行処理して、その発行履歴を管理するカード発行管理システムに関するものである。
【０００２】
【従来の技術】
従来、カードを製造するカード・メーカと、カードを発行するエンコード・メーカとは、同一メーカであった。このため、従来のカードの発行履歴を管理するシステムは、１つのカード・メーカ毎に、発行履歴データを管理していた。従って、カード・メーカ毎に、発行処理内容を変更する必要もなかった。
【０００３】
【発明が解決しようとする課題】
ところが、従来の技術では、複数のカード・メーカから提供されるカードを、１つのエンコード・ メーカで発行する場合に、カード・メーカが１つ増える毎に、システムを構築せざるを得なくなる。これにより、システムの設置スペースの拡大や管理コストの増大などの理由から、生産効率の低下を招くという問題があった。
【０００４】
また、カードメーカ毎に、発行処理内容を変更する必要がある場合に、生カードと発行履歴データの一致を確認することができないという問題があった。
【０００５】
本発明の課題は、カード・メーカ毎に発行履歴データが異なるカード発行処理を行う場合に、複数のカード・メーカから提供されるカードを、混在させることなく別々に発行して管理することができるカード発行管理システムを提供するすることである。
【０００６】
【課題を解決するための手段】
前記課題を解決するために、請求項１の発明は、複数のカード・メーカが製造した複数のカードを受領して、それらのカードを前記カード・メーカ毎に管理するカード授受管理部（１１）と、前記カード授受管理部が受領したカードの入庫及び出庫状況を、少なくともカード・メーカ識別コードを付して登録するカード在庫管理データベース（１２）と、発行依頼側からのエンコード・データを含む発行依頼内容を受領して管理する発行依頼受領管理部（１３）と、前記発行依頼受領管理部からの発行依頼内容を格納する発行依頼管理テーブル及び発行処理したカードの発行履歴データを格納する発行履歴管理テーブルを有する発行処理管理データベース（１４）と、前記発行依頼管理データベースに格納された発行依頼内容に基づいて、発行処理作業内容を作成する作業指示部（１５）と、前記作業指示部からの発行処理作業内容を登録して発行処理データを作成し、前記カード授受管理部から使用するカードを受領して、前記発行処理データに基づいてカード発行処理を行い、そのカード発行処理の結果に従って、少なくともカード・メーカ識別コードを含む発行履歴データを作成する発行処理部（１６）と、前記発行処理部で発行処理したカード及び前記発行履歴データを前記発行依頼側へ出荷する出荷部（１８）と、を備えたカード発行管理システムである。
【０００７】
請求項２の発明は、請求項１に記載のカード発行管理システムにおいて、前記発行履歴データを格納して、その発行履歴データを出力する発行履歴データ出力部（１７）を備えたこと、を特徴とするカード発行管理システムである。
【０００８】
請求項３の発明は、請求項１に記載のカード発行管理システムにおいて、前記発行履歴データは、エンコード・メーカ識別コードを含むこと、を特徴とするカード発行管理システムである。
【０００９】
請求項４の発明は、請求項１に記載のカード発行管理システムにおいて、前記発行処理管理データベース（１４）は、前記カード・メーカ識別コードを識別するフィールドを備えること、を特徴とするカード発行管理システムである。
【００１０】
請求項５の発明は、請求項１から請求項４までのいずれか１項に記載のカード発行管理システムにおいて、前記カード授受管理部、前記カード在庫管理データベース、前記発行依頼受領管理部、前記発行処理管理データベース、前記作業指示部、前記発行処理部及び前記出荷部の各処理過程で授受されるキーデータの中に、少なくとも前記カード・メーカ識別コードが含まれること、を特徴とするカード発行管理システムである。
【００１１】
【発明の実施の形態】
以下、図面などを参照しながら、実施の形態をあげ、本発明をさらに詳細に説明する。
図１は、本発明に係るカード発行管理システムの実施形態を示す構成図、図２は、本実施形態に係るカード発行管理システムのデータベースのテーブル構造を示す図である。
【００１２】
カード授受管理部１１は、複数のカード・メーカ２００（２０１〜２０Ｎ）からそれぞれのカード２０（２１〜２Ｎ）を受領し、カード・メーカ２０１〜２０Ｎ毎に保管する。このカード授受管理部１１は、受領したカード２１〜２Ｎの枚数及び不良カード（傷・汚れ、通信エラーなど）の有無を検査して、発行処理に使用するカードを発行処理部１６へ渡す。
また、カード授受管理部１１は、受領したカード２１〜２Ｎの検査結果や、発行処理部１６へ渡したカード２１〜２Ｎの出庫状況をカード在庫管理ＤＢ１２へ登録する。
【００１３】
カード在庫管理ＤＢ１２は、カード授受管理部１１から以下に示す［表１］のデータを受領して格納する。
【００１４】
［表１］
（１）  カード・メーカ名
（ａ）  良品カード枚数
（ｂ）  不良品カード枚数
（ｃ）  ＩＣチップの製造ロットＮｏ．
【００１５】
発行依頼受領部１３は、発行依頼者３００からエンコード・データを含む発行依頼内容３０を受領する。この発行依頼受領部１３は、発行依頼内容を発行処理管理ＤＢ１４の発行依頼管理テーブル１４Ａへ登録する。発行依頼者３００は、発行依頼部３１及び製品受領部３２を備えている。
【００１６】
発行処理管理ＤＢ１４は、図２に示す発行依頼管理テーブル１４Ａと、発行履歴管理テーブル１４Ｂとを備えるデータベースである。
発行依頼管理テーブル１４Ａは、発行依頼受領部１３から以下の［表２］に示すデータを格納する。
【００１７】
［表２］
（１）  発行指示番号（発行依頼者側で管理する番号）
（ａ）  納品枚数（発行指示番号に対する納品枚数）
（ｂ）  納品日
（ｃ）  梱包形態（箱毎の梱包枚数など）
（ｄ）  エンコード・データ
（ｅ）  カード用途（一般用、会員用など）
（ｆ）  カード・メーカ名
（ｇ）  発行ロット番号（カード・ メーカ毎に存在し、発行依頼者側で管理する番号）
（ｉ）  発行枚数（発行ロット番号に対する納品枚数）
【００１８】
発行履歴管理テーブル１４Ｂは、発行処理登録部１６Ａ及び発行処理装置１６Ｂから以下の［表３］に示す発行履歴データを格納する。
【００１９】
［表３］
（１）  発行指示番号
（２）  梱包形態
（３）  業務ＩＤ（発行処理装置で管理するＩＤ。カード・メーカ及びカード用途毎に存在）
（ａ）  カード・ メーカ名
（ｂ）  カード用途
（ｃ）  発行ロット番号
（ｄ）  装置用ロット番号
（ｉ）  発行日時
（ii）  発行処理枚数
（iii ）良品数
（iv）  不良品数
（ｖ）  付与した発行データ
（vi）  使用したエンコード・データ
【００２０】
作業指示部１５は、発行依頼管理テーブル１４Ａを参照して、上記［表２］の発行内容に、以下の［表４］で示す３項目を加えた発行処理作業内容を作成する。
【００２１】
［表４］
（１）  業務ＩＤ
（２）  当該発行指示番号の発行処理に使用するカード
（３）  当該発行指示番号の発行処理に使用するエンコード・データ
【００２２】
この作業指示部１５は、作成した発行処理作業内容を発行処理部１６へ指示すると共に、発行処理に使用するカードをカード授受管理部１１へ指示する。
【００２３】
発行処理部１６は、発行処理登録部１６Ａと発行処理装置１６Ｂとから構成されており、作業指示部１５から発行処理作業内容を受領すると共に、カード授受管理部１１から発行処理に使用するカードを受領する。
【００２４】
発行処理登録部１６Ａは、発行処理作業内容を登録して、発行処理データを作成し、作成した発行処理データを発行処理装置１６Ｂに送信する。発行処理装置１６Ｂは、未発行カード収納部、ＮＧカード回収部及び発行済カード回収部等を備えており、発行処理登録部１６Ａから受信した発行処理データに基づいて、カードの発行処理を行うと共に、その発行処理結果に従って、発行履歴データを作成して、作成した発行履歴データを発行履歴データ出力部１７の発行履歴管理テーブル１７Ａに送信する。
【００２５】
発行履歴データ出力部１７は、発行履歴管理テーブル１７Ａから発行履歴データとして以下の［表５］の内容を出力する。
【００２６】
［表５］
（１）  カード１枚毎のデータ
（ａ）  当該発行ロット番号
（ｂ）  当該発行指示番号
（ｃ）  良品・不良品の識別（不良品であれば、その不良内容）
（ｄ）  付与した発行データ
（ｅ）  使用したエンコード・データ
（２）  梱包した箱毎のデータ
（ａ）  当該発行ロット番号
（ｂ）  梱包枚数
（ｃ）  箱内先頭と末尾のカードに対して付与した発行データ
【００２７】
製品出荷部１８は、梱包した製品及び発行履歴データを、発行依頼者３００に出荷する。
【００２８】
次に、図２の各部の機能を以下に説明する。発行依頼管理テーブル１４Ａ，発行履歴管理テーブル１４Ｂ及びカード在庫管理テーブル１７Ａは、それぞれ、カード・メーカ記録部Ｔ１とデータ記録部Ｔ２とを備えている。
カード・メーカ記録部Ｔ１は、カード・メーカを識別するためのデータを格納する部分である。データ記録部Ｔ２は、各管理テーブルの管理に必要なその他の項目（例えば、在庫枚数、カード用途や発行処理日時など）を格納する部分である。
【００２９】
図３は、本実施形態に係るカード発行管理システムの処理動作を示すフローチャートである。なお、下波線は、「キーデータ」を表している。本実施形態では、このキーデータにカード・メーカが含まれていることを特徴としている。
まず、カード授受管理部１１は、複数のカード・メーカ２００からそれぞれのカード２０を受領し（Ｓ１０１）、受領したカード２２の枚数及び不良カードの有無を検査して（Ｓ１０２）、カード・メーカ２００毎にカード入庫記録を行なう（Ｓ１０３）。
【００３０】
一方、発行依頼受領部１３は、発行依頼者３００の発行依頼部３１から発行依頼内容を受領する（Ｓ１０４）と共に、エンコード・データを受領する（Ｓ１０５）。
【００３１】
次に、作業指示部１５は、発行処理作業内容（作業指示データ）を作成する（Ｓ１０６）。そして、作成した発行処理作業内容を発行処理部１６へ登録する（Ｓ１０７）と共に、発行処理に使用するカードをカード授受管理部１１へ指示して、カード出庫記録をとる（Ｓ１０８）。
発行処理部１６は、作業指示部１５から発行処理作業内容を受領すると共に、カード授受管理部１１から発行処理に使用するカード１０を受領して、カードの発行処理を行い（Ｓ１０９）、発行ロット番号分が完了するまで（Ｓ１１０）、発行処理を続ける。
【００３２】
発行ロット番号分が完了した（Ｓ１１０：ＹＥＳ）場合には、発行指示番号分が完了したか否かを判断して（Ｓ１１１）、否定の場合には、Ｓ１０７に戻り、肯定の場合には、発行履歴データを作成して（Ｓ１１２）、依頼者３００の製品受領部３２へ出荷を行なう（Ｓ１１３）。
【００３３】
【発明の効果】
以上詳しく説明したように、本発明によれば、複数のカードメーカから提供されるカードの発行履歴を１つのシステムで一元管理することができ、従来のカード発行管理システムと比較して、効率的にカードの発行履歴を管理することが可能となる、という効果がある。
【図面の簡単な説明】
【図１】本発明に係るカード発行処理システムの実施形態を示す構成図である。
【図２】本実施形態に係るカード発行処理システムのデータベースのテーブル構造を示す図である。
【図３】本実施形態に係るカード発行処理システムの処理動作をを示すフローチャートである。
【符号の説明】
１００  エンコード・メーカ
１０  カード発行管理システム
１１  カード授受管理部
１２  カード在庫管理ＤＢ
１３  発行依頼受領部
１４  発行処理管理ＤＢ
１４Ａ  発行依頼管理テーブル
１４Ｂ  発行履歴管理テーブル
１５  作業指示部
１６  発行処理部
１６Ａ  発行処理登録部
１６Ｂ  発行処理装置
１７  発行履歴データ出力部
１７Ａ  発行在庫管理テーブル
１８  製品出荷部
２００（２０１〜２０Ｎ）  カード・ メーカ
２０（２１〜２Ｎ）  カード
３００  発行依頼者
３１  発行依頼部
３２  製品受領部
【図１】
0004382253.tif 000002
【図２】
0004382253.tif 000003
【図３】
0004382253.tif 000004